(57)【要約】      （修正有）【課題】装飾部品を有して構成された固定機構を備え、この装飾部品が固定機構を直接視覚的に認識できないように機能する、トートバッグを提供する。【解決手段】トートバッグ１０は、内部を画定し、内部へアクセスできるようにした本体と、内部へのアクセスを一時的に制限または阻止するように作用する固定機構と、固定機構を直接認識できないように構成された装飾部品１４とを備える。固定機構は、２本の対向するアームと、例えば底部を互いに偏倚するように構成されたヒンジ手段とを備えた単純なクリップまたはばね部材として設ける。装飾部品１４は、前面部に沿って茎が延びる花の形状を有する単純なフェルト製の花、輝く発光体等であり、フェルト製の花１４の一部が上部リップ上方に延びて固定機構を覆う。装飾部品は、トートバッグの前面部に接着する等して、トートバッグ１０に永久的に取り付ける。あるいは、装飾部品１４をバッグ１０に取り外し可能に結合しても良い。さらに、装飾部品１４を固定機構に永久的または取り外し可能に結合しても良い。【選択図】図１
0003176706.tif 000002
【実用新案登録請求の範囲】
【請求項１】
固定システムと、
装飾魅了システムと、
を備えた固定魅了システムであって、
前記固定システムが、外側容器の使用中に、外側容器の対向する容器面を操作可能かつ取り外し可能に固定するための手段を備え、
前記装飾魅了システムが、前記使用中に前記固定システムの一部に取り付けられ、かつ取り外し可能に固定される、固定魅了システム。
【請求項２】
前記操作可能かつ取り外し可能に固定するための手段が、第1の閉鎖部材および第2の閉鎖部材を備え、
前記操作可能かつ取り外し可能に固定するための手段がさらに、前記第1の閉鎖部材を前記第2の閉鎖部材側へ解除可能に付勢するための手段を備える、請求項1に記載の固定魅了システム。
【請求項３】
前記解除可能に付勢するための手段が、ばねおよび磁石の少なくとも一方を備える、請求項2に記載の固定魅了システム。
【請求項４】
前記装飾魅了システムがさらに、視覚的魅了物、光魅了物、動作魅了物、音声魅了物、香り魅了物、ならびに前記視覚的、動作、および音声魅了物の組合せを含む群の少なくとも1つを備える、請求項1に記載の固定魅了システム。
【請求項５】
前記少なくとも1つが前記視覚的魅了物であり、さらに、布魅了物、光魅了物、彫刻魅了物、プラッシュ魅了物、ならびに前記布魅了物、前記彫刻魅了物、および前記プラッシュ魅了物の組合せを含む群の少なくとも1つを備える、請求項4に記載の固定魅了システム。
【考案の詳細な説明】
【技術分野】
【０００１】
本出願は、参照によりその内容全体が本明細書に組み込まれている、2012年4月19日に出願した米国仮出願第61/476965号および2011年11月18日に出願した中国実用新案登録出願第201120471894.4号の優先権を主張するものである。
【０００２】
本考案は、一般に、開口部を有する容器を固定するための装飾システムに関する。特に、本考案は、容器またはトート容器またはトートバッグと共に使用され、その開口部を固定するための装飾/魅了(attractant)固定ユニットを備え、より個性を表現するために多くの適応魅了機能を操作可能にするシステムまたはキットに関する。
【背景技術】
【０００３】
「運ぶこと」を意味する「トート」という用語は、17世紀まで遡ることができるが、20世紀初めまでは、バッグを表現するために使用されたことはなかった。一般に、トートは、限定されないが、本、傘、その他の娯楽用品(recreational gear)を含む多様な日常品を保持するように構成された、一種の容器である。トートバッグは、通常トート内に互いに積み重ねられる食料品、飲料、その他の比較的小さい品物を輸送するための、支持容積(supporting volume)として使用することもできる。言い換えると、トートバッグは、様々な、どちらかというと平凡な物品および品物を日常的に運ぶものである。このようなトートバッグは、ギフト等を保持するために形成された紙製のいわゆるギフトバッグ、カラーバッグとして提供することができる。
【０００４】
トートバッグ内部へのアクセス部(access)を固定することが一般的である。多数のトートバッグ用固定機構が、様々な公報に開示されている。おそらく、最も公知の構成の1つはクリップを有するが、これは通常、装飾的でないため、トートバッグ全体の外見をかなり損なう。他の固定機構は、例えば磁石として構成され得る。この場合もまた、出願人が知る限り、磁石による固定構成で、装飾部品として同時に機能できるものはない。
【考案の概要】
【考案が解決しようとする課題】
【０００５】
したがって、外見が美しく、かつ固定機構を備えて構成された機能的なトートバッグが必要である。
【０００６】
また、装飾部品を有して構成された固定機構を備え、この装飾部品が固定機構を直接視覚的に認識できないように機能する、トートバッグが必要である。
【０００７】
さらに、装飾部品を有する交換可能な固定機構を備えたトートバッグが必要である。
【０００８】
さらに、構造的に交換可能であり、かつ外見の美しさが異なる複数のトートバッグ用固定機構を含むキットが必要である。
【０００９】
したがって、任意に部品をユーザの希望に合わせて交換可能に変更することもできる、改良された装飾固定機構が必要である。
【課題を解決するための手段】
【００１０】
これらおよびその他の必要性は、本考案により構成された固定機構を備えたトートバッグにより満たされる。本考案の多くの顕著な特徴の1つは、トートバッグの上部リップに取り外し可能に取り付けて、リップを取り外し可能かつ解除可能に密閉できるようにする固定機構を備える。固定機構は、固定機構が直接認識されないように作用する装飾部品を有して構成されるため、トートバッグに魅惑的な外見の美しさを与えることができる。
【００１１】
容器用固定システムは、固定システムと、より個性を表現するために多数の適応魅了機能を操作可能にするよう選択的に固定可能な装飾システムとを備える。固定システムは、意図しない開放に対して、容器の対向する開口側部品を解除可能に固定するのに有効な対向する部品を備える。装飾システムは魅了機能を有し、音声、香り、視覚的魅了表示、動作のいずれか1つまたは組合せを提示するためのさらなる魅了システム、または任意に安全なアクセス(access)機能を、選択的に備えることができる。
【００１２】
本考案の固定機構は、2本のアームと、これらアームを互いに弾性的に偏倚するヒンジユニットとを有するクリップとして構成することができる。固定機構のさらなる構成は、トートバッグの上部リップに取り外し可能または永久的に取り付けられ、装飾部品に固定可能な、極性の異なる磁石を備える。開示された固定機構の別の構成は、開示されたトートバッグの上部リップに取り外し可能に取り付けることのできる、ベルクロ(登録商標)のライナのような単純なものとすることができる。
【００１３】
本考案のシステムが、その他の固定機構への魅了部材の適応、あるいは集合的な使用(collective use)(魅了および固定機構)を再使用可能かつ収集可能とすることができることが認識される。このように、システムを使用と使用との間に保持し、テーマを持ったキット(例えば、休日用キット、祝用キット、誕生日用キット等)として販売し、または同様にそのように結合使用し、ユーザの希望に応じて再使用することができる。
【００１４】
開示された固定機構およびシステムの前記およびその他の構成には、それぞれ１つ以上の装飾部品が設けられる。この装飾部品は、信頼性のある部品を提供しつつ、固定機構を視覚的に美しく隠す。本考案のその他の態様、特徴、および利点が、添付図面を参照して以下の説明を読むことにより明らかになろう。図中、同一の参照符号は同一の部品を示す。
【００１５】
以下の図面と組み合わせて本明細書に示す特定の実施形態の詳細な説明を参照することにより、本考案をよりよく理解できよう。
【図面の簡単な説明】
【００１６】
【図１】代表的な開示されたトートバッグに示す、本考案の多くの代替形態の1つの正面図である。
【図２】図1による本考案のシステムの構成例の閉止側正面図である。
【図３】開示されたトートバッグのない、図2の固定機構の後面図である。
【図４】固定システムがトートバッグの両側を操作可能かつ解除可能に固定する、図1の本考案の実施形態の上面図である。
【図５】固定システムおよび装飾機能を、トートバッグの開口と密接に関連付けて示す、図4の閉止側面図である。
【考案を実施するための形態】
【００１７】
以下に、本考案の複数の実施形態について詳細に言及する。これら実施形態は添付図面に示されるが、正確な縮尺ではない。可能な限り、同一または同様の部分またはステップを示すために、同様または同一の参照符号を図面および明細書で使用する。図面は単純化した形で描かれ、ここでは例示的に表されたシステムまたはキットを示すが、正確な縮尺ではない。便宜および明確さの目的のみで、上部、底部、上、下、〜の上方に、〜より上に、〜より下に、または近く等の方向性を示す用語を図面に対して使用することができる。これらおよび同様の方向性または距離を示す(distant)用語は、いかなる方法でも本考案の範囲を限定するものと解釈すべきではない。「接続する(connect)」あるいは「結合する(couple)」という用語、およびこれらの活用形を伴う同様の用語は、必ずしも直接の接続を示すわけではなく、介在する部品または装置を通した接続をも含む。さらに、1つの代替形態の文脈で述べた部品は、本考案の範囲または精神から逸脱することなく、他の代替形態と適応させて代替的に組み合わせることができる。
【００１８】
本考案は、固定機構と組み合わせて構成され、固定機構の存在を隠すように作用する装飾部品またはシステムを組み込んだ、改良されたトートバッグシステムである。本考案のトートバッグにより、用途が広がり、魅力が増し、仕上げが美しくなるため、1つのバッグが多くの目的を果たし、より個性を表現できるようになる。
【００１９】
図1は、固定機構を備えた本考案のトートバッグ10を示す。固定機構は、固定機構を隠す、14で示した装飾部品またはシステムまたは機能または手段を有して、固定機構が外側または離れた場所から直接見えないようにすることにより、固定機構が直接視覚的に認識されるのを防ぐ。
【００２０】
この代替形態では、トートバッグ10は、12で示す一対の別個の対向する可撓性材料前面部を有して構成されている。前面部は周囲で接合されるが、上縁部の少なくとも一部に沿って分離し、リップ18、18間の開口を画定してバッグ10内部へアクセスできるようにする。任意に、本考案のトートバッグ10を単一の折り畳まれた材料で構成して、開いた上部を有する上面部および後面部を画定することができる。様々な非限定的な材料を使用してトートバッグ10を構成することができる。例えば、限定されないが、材料として、布、紙、プラスチック、ネオプレン等がある。本考案の範囲内で、バッグの外側および内側の多くの構成が考えられる。ハンドル16(本明細書では可撓性のひもまたはロープ)が各上部リップ18、18に操作可能に結合され、様々な構成を有することができる。例えば、図示したように、ハンドル16は、それぞれ前面部12に結合された2つのストラップを備える。
【００２１】
トートバッグ10の少なくとも前面部12には、任意に取り外し可能な装飾部品14が構成される。再び、本考案の範囲内で、多くの異なる構成の装飾部品14を使用することができ、これらは、本考案の範囲および精神に含まれるわずかな代替形態のみを示すためにさらに開示される。したがって、本開示は、図の範囲に限定されない。しかし、装飾部品14は、本明細書において、装飾、美観、魅了(例えば宣伝)の目的のみで使用されるのではない。以下に開示される固定機構を見えなくするか、見える部分を限定するように機能的に構成される。
【００２２】
特に、本例示的実施形態に示すように、装飾部品14は、前面部12に沿って茎が延びる花の形状を有し、単純なフェルト製の花、蝶形リボンが取り付けられたジェムストーンクラスター、周囲を囲むパフボール、輝く発光体(glittery light)、突出したカードクリップ、音声発生装置、香り発生装置等の材料を含むことができる。以下に説明するように、フェルト製の花14の一部が上部リップ18上方に延びて固定機構24を覆う。任意に、装飾部品14を、前面部12に接着する等して、トートバッグ10に永久的に取り付けることができる。あるいは、装飾部品14をバッグ10に取り外し可能に結合することができる。さらに、以下に開示するように、任意に、装飾部品14を固定機構24に永久的または取り外し可能に結合することができる。装飾部品14の取り外し可能な結合(図示せず)は、装飾部品14を固定機構24に取り外し可能に固定するためのスナップ、リベット、ばねクリップ、接着剤、ベルクロ(登録商標)等の様々な作用的構成を有することができる。さらなる代替形態では、トートバッグ10全体の魅力を高める追加の装飾魅了部品22(図1)により、装飾部品14の中心領域をさらに改良することができる。部品22の対向側を、トートの前面部12に取り外し可能に結合されたスナップとして形成することができ、または、任意に、装飾部品14の前面に固定することができる。装飾部品14が固定機構24の前面部に結合された様子が示されているが、本考案の範囲は、それぞれの前面部および後面部に結合された同一または異なる構成の2つの装飾部品を有して、トート10の両側から装飾が見えるようにしたトートバッグを含む。
【００２３】
図2は、固定機構24の複数の操作可能な代替構成の1つを示す。この固定機構24は、バッグの開口を閉じるように作用することにより、バッグ10の内部へ容易にアクセスできないようにするとともに、内部に収納されている品物が偶然落下するのを防ぐ。図示したように、固定機構24は、2本の対向するアームまたは羽根26、26と、アーム26、26の例えば底部を互いに偏倚するように構成されたヒンジ手段19とを備えた単純なクリップまたはばね部材として設けられる。クリップ自体を、大型クリップ、洗濯ばさみ、ばねクリップとして構成することができる。固定機構の構成の異なる概念は、磁気固定機構に関する。磁気固定機構は、可撓性ラインまたはタブヒンジ部材により接合される磁気部材および金属または第2の磁気部材で構成することにより、「磁気クリップ」システムとして操作可能に機能する。さらに代替的に、固定機構に、結合されていない、対向する2つの磁気魅了部材(磁石、および任意に鉄鋼材、例えば金属の1つまたは両方)を設けることができ、これにより、装飾部品を固定機構の1つに固定し、対向する磁気結合による付勢のみによって、トート10のリップを付勢して合わせる。固定機構24の設計にかかわらず、美的理由および安全性の理由で、機構を適宜隠す必要がある場合が多い。
【００２４】
本考案によれば、固定機構24が直接視覚的に認識されないように、装飾部品14を固定機構24よりも、最適には少なくとも1/2大きく、望ましくはそれより大きくなるように構成される。特に、本例示的実施形態は、バッグ10の上部リップの上のみに延びるのではなく、クリップ上端の上方へも伸びる突出部30を有する装飾部品14を提供する。明らかに、バッグ10の前部を見た人にクリップは見えず、または少なくとも直接認識されることはない。
【００２５】
さらに図3〜5を参照して、固定機構と装飾部品との間の同様の結合手段(図2にばねクリップ19として示される)の代替図が、本発明の範囲に含まれるものと考えられる。例えば、装飾部品14および固定機構24を、例えば限定されないが、接着を含む締結手段により互いに対して固定することができる。あるいは、締結手段をスナップ、摺動係合等として構成してもよい。後者によれば、異なる形状および大きさの装飾部品14を、同じ固定機構と組み合わせて容易に使用することができる。あるいは、装飾部品14を固定機構24に取り外し可能に結合することができる。
【００２６】
異なる構成について、本考案の範囲は、異なる形状および大きさの装飾部品および固定機構を備えたキットを含む。キットにより、ユーザは固定部品および装飾部品の異なる組合せを選択することができる。
【００２７】
装飾部品に戻ると、装飾部品の構成は、設計が本考案の範囲および精神に含まれていれば、どのような形状および大きさであってもよい。例えば、装飾機構は、発光体、電源(電池)、スイッチ、または当業者に公知の種類の操作機構を含む発光手段を備えることができる。発光体は、１つ以上のLEDを有することができる。スイッチ、動作センサ等により作動可能な局部電池により発光機構に通電することが考えられる。さらに、代わりとして、連続する点滅(flashing sequences)または色を魅力的な形で設け得ることが考えられる。
【００２８】
さらなる変形体においては、本考案の装飾部品は、音声および/または動作発生ユニットを適用して操作可能に設けることができる。ここでもまた、遠隔でまたは局所的に作動させることによって、音声および/または動作発生ユニットは、楽曲、声、認識しやすい音を再生することができ、または動作機構(例えば、踊る季節的な形状(サンタ、バレンタインハート)が繰り返し連続して動くようにすることができる。ユニットを、ユーザが第2のユーザによる返事のために自分の音声メッセージを録音できるように構成することもできる。
【００２９】
あるいは、本考案の装飾部品に、(トートの内容物に加えて)適応品または補足品を収容するように、異なる設計および大きさのポケットの組合せを設けることができる。ポケットには、運勢、ことわざ、メッセージ、小物品およびギフト品、キャンディを収容することができる。本考案の範囲内で、一種のさらなる「楽しみ(treat)」または「ティーザ(teaser)」が考えられる。さらに、本考案の装飾部品は、ギフトを見せるための適切な、あらかじめ記憶された時間が来たことをユーザに知らせる、録音装置に結合されたタイマを備えることができる。その時点で、ユーザは、ポケットまたはトートを開くことができ、あるいは任意に、機構が自動的に開いてユーザがギフトを引き出せるようにすることができる(例えば、音声録音「…家に着いてギフトを開けるまで待て…」)。
【００３０】
またさらなる構成は、香り放出機構を備えることができる。香りは、霧吹き、引っかき、あるいは固体またはゲル状の香りを含む機構と加温/放出機構との組合せ等により、様々な方法で放出することができる。ユーザを引き付けるため、本考案の趣旨および範囲内で、機構を平らな部品、多次元部品として構成することができ、送風機を組み込むことができる。
【００３１】
本考案は、説明し図示した特定の構成に限定されない。説明した実施形態は排他的なものではなく、本考案の範囲は、さらに異なる構成および構造を含む。説明するとともに図示した特定の構造および構成からの発展が、それ自体当業者に示唆され、本考案の精神および範囲を逸脱することなく使用可能であることが明らかである。したがって、添付の、本考案の主な特徴についての簡単な説明の範囲に含まれるすべての変更と一致するように、本考案を解釈すべきである。
【００３２】
手持ち型バッグは、内部を画定し、内部へアクセスできるようにした本体と、内部へのアクセスを一時的に制限または阻止するように作用する固定機構と、固定機構を直接認識できないように構成された装飾部品とを備える。装飾部品は、これらに限定されるわけではないが、布、印刷、フィルム、プラッシュビークル(plush vehicle)、または三次元物品を含む魅了タイプのものとすることができる点を理解されたい。例えば、図1に示すように、組み合わせの魅了物は、布製品と、形成された三次元の宝石品とを含む。あるいは、小さなプラッシュのキャラクタまたは綿毛状品または堅い三次元の彫刻品を使用することができる。本考案の範囲および精神において、自然物(例えば花)を設けることもできる。
【００３３】
手持ち型バッグは、内部を画定し、内部へアクセスできるようにした本体と、内部へのアクセスを一時的に制限または阻止するように作用する固定機構と、固定機構を直接認識できないように構成された装飾部品とを備え、固定機構は、大型クリップ、洗濯ばさみ、ばねペーパークリップ(spring clip paper)、その他からなる群から選択されたクリップを備える。
【００３４】
手持ち型バッグは、内部を画定し、内部へアクセスできるようにした本体と、内部へのアクセスを一時的に制限または阻止するように作用する固定機構と、固定機構を直接認識できないように構成された装飾部品とを備え、固定機構は、1つの磁気部品と1つの金属部品または2つの磁気部品の組合せを含む磁気クリップを備える。
【００３５】
手持ち型バッグは、内部を画定し、内部へアクセスできるようにした本体と、内部へのアクセスを一時的に制限または阻止するように作用する固定機構と、固定機構を直接認識できないように構成された装飾部品とを備え、固定機構は、1つの磁気部品と1つの金属部品または2つの磁気部品の組合せを含む磁気クリップを備える。
【００３６】
手持ち型バッグは、内部を画定し、内部へアクセスできるようにした本体と、内部へのアクセスを一時的に制限または阻止するように作用する固定機構と、固定機構を直接認識できないように構成された装飾部品とを備え、装飾部品は本体に取り付けられるか、または取り外し可能に結合される。
【００３７】
手持ち型バッグは、内部を画定し、内部へアクセスできるようにした本体と、内部へのアクセスを一時的に制限または阻止するように作用する固定機構と、固定機構を直接認識できないように構成された装飾部品とを備え、固定機構は本体に取り付けられるか、または取り外し可能に結合される。
【００３８】
手持ち型バッグは、内部を画定し、内部へアクセスできるようにした本体と、内部へのアクセスを一時的に制限または阻止するように作用する固定機構と、固定機構を直接認識できないようにして構成された装飾部品とを備え、装飾部品および係止機構は、互いに対して固定されるか、または互いに取り外し可能に結合される。
【００３９】
手持ち型バッグは、内部を画定し、内部へアクセスできるようにした本体と、内部へのアクセスを一時的に制限または阻止するように作用する固定機構と、固定機構を直接認識できないように構成された装飾部品とを備え、装飾部品は複数の構成を有し、プラスチック、布または紙、金属、木、および/またはこれらの組合せから作られた装飾品の1つを含む群から選択される。
【００４０】
手持ち型バッグは、内部を画定し、内部へアクセスできるようにした本体と、内部へのアクセスを一時的に制限または阻止するように作用する固定機構と、固定機構を直接認識できないように構成された装飾部品とを備え、装飾部品は複数の構成を有し、音声ユニット、動作ユニット、音声発生ユニット、発光ユニット、香り発生ユニット、および/またはこれらユニットの組合せを含む群から選択される。
【００４１】
手持ち型バッグは、内部を画定し、内部へアクセスできるようにした本体と、内部へのアクセスを一時的に制限または阻止するように作用する固定機構と、固定機構を直接認識できないように構成された装飾部品とを備え、装飾部品は複数の構成を有し、それぞれギフト、ティーザ等を含む異なる形状および大きさのポケットの配置を含む群から選択される。
【００４２】
手持ち型バッグ用キットは、手持ち型バッグ内部へのアクセスを一時的に制限または阻止するように作用する１つ以上の固定機構と、１つ以上の装飾部品とを備え、固定機構および装飾部品が互いに選択的に結合可能に構成されて、装飾部品により固定機構が直接認識されるのを防ぐ。
【符号の説明】
【００４３】
10    トートバッグ
12    前面部
14    装飾部品
16    ハンドル
18    上部リップ
19    ヒンジ手段
24    固定機構
26    アーム
30    突出部
【図１】
0003176706.tif 000003
【図２】
0003176706.tif 000004
【図３】
0003176706.tif 000005
【図４】
0003176706.tif 000006
【図５】
0003176706.tif 000007